(57)【要約】【課題】  複数のヒンジで表示パネルが支持されたカメラにおいて、近年の撮影時の被写体像や再生時の再生画像の視認性向上を目的とした表示パネルのサイズ拡大に伴い、従来は無視することができたカメラ本体の凹部と表示部の隙間の不均一が増大し、外観品位を損ねている。【解決手段】  表示パネルの開閉をロックするロック爪を係合させる表示パネルの凹部に傾斜面を設けることで、表示パネルのヒンジ部を中心としたガタを規制することができる。その結果、カメラ本体の凹部と表示部の隙間を均一に保つことができる。【選択図】  図１
2009290692.tif 000002
【特許請求の範囲】
【請求項１】
被写体を撮像し前記被写体像を画像データに変換する撮像部が収納された第１の筐体（１）と、前記撮像部を介して取得した画像や記憶媒体から読み出された再生画像を表示する表示パネル（４）を有し且つ第１の筐体（１）に対して開閉自在及び回動自在に支持された第２の筐体（５）と、前記第２の筐体（５）を前記第１の筐体（１）に着脱自在にロックするロック部（１０）と、を備えた撮像装置において、
ロック部（１０）が第二の筐体（５）の表示部面内方向の移動を規制することを特徴とする撮像装置。
【請求項２】
前記第二の筐体（５）の側面には前記ロック部（１０）が挿入される凹部（１１）が設けられ、前記凹部（１１）は前記回動支持の回動軸上に配置されることを特徴とする請求項１に記載の撮像装置。
【発明の詳細な説明】
【技術分野】
【０００１】
本発明は、液晶パネルやエレクトリックルミネッセンスパネル等の表示パネルを備えたデジタルカメラ等の撮像装置に関し、特に表示パネルを収納する第２の筐体を撮像装置本体である第１の筐体に対してロック状態に保持可能なロック機構を有する撮像装置に関する。
【背景技術】
【０００２】
従来、表示パネルを収納する第２の筐体を撮像装置本体である第１の筐体に対してロック状態に保持可能なロック機構を有する撮像装置は、一般的に被写体を撮像する光学系その他の装置が収納されたカメラ本体と、撮像された被写体像を映し出す表示パネルを有し且つカメラ本体に対して開閉自在及び回動自在に支持された表示部と、この表示部をカメラ本体に対して着脱自在にロックするロック部とを備えて構成されている（特許文献１参照。）。
【０００３】
以下、図７により従来の撮像装置について説明する。
【０００４】
第１の筐体であるカメラ本体には第２の筐体である表示部を収納するための凹部があり、前記カメラ本体に対し開閉自在な前記表示部をロックするロック部が設けられている。表示部側面には凹部が設けられロック部と係合する。ロック部はバネによりＡの方向にバネ圧を加えられており、このバネ圧で表示部をロックする。ロックを解除するときは表示部を手でＣの回転方向へ引き出すような構成になっている。
【０００５】
さらに、表示部はヒンジ部によりＣの方向及びＤの方向に回動が可能である。ロック部は表示パネル表面が外側に向けた状態及び内側に向けた状態の両方の状態のおいて表示部をロックすることができる。表示部をカメラ本体と回動自在にするために、カメラ本体の凹部と表示部の間には隙間が設けられている。そのため、部材の寸法や組み立てのばらつきによりヒンジ部を中心とした表示部のガタにより隙間の不均一が発生し、外観品位を損なわないよう手間をかけ組み立てる必要があった。
【特許文献１】特開２００４−２１５１１５号公報
【発明の開示】
【発明が解決しようとする課題】
【０００６】
近年の撮影時の被写体像や再生時の再生画像の視認性向上を目的とし、表示パネルのサイズが拡大されている。この結果、従来は無視することができたカメラ本体の凹部と表示部の隙間の不均一が誇張されて印象付けられ、外観品位を損ねる可能性が高くなっている。
【課題を解決するための手段】
【０００７】
上記課題を解決するために本出願の第１の発明は、被写体を撮像し前記被写体像を画像データに変換する撮像部が収納された第１の筐体と、前記撮像部を介して取得した画像や記憶媒体から読み出された再生画像を表示する表示パネルを有し且つ第１の筐体に対して開閉自在及び回動自在に支持された第２の筐体と、前記第２の筐体を前記第１の筐体に着脱自在にロックするロック部と、を備えた撮像装置において、前記第２の筐体の側面には前記ロック部が係合する凹部を備える。前記凹部を形成する面のうち、奥に向かって狭くなるように２つの斜面が対向して配置される。前記第２の筐体が前記第１の筐体に収納された状態においては、前記ロック部が前記２つの斜面に当接することで、第２の筐体のヒンジ部を中心としたガタを規制する付勢力が発生し、第２の筐体の表示部面内方向の移動を規制することを特徴とする。また、第２の発明は、前記第２の筐体の側面には前記ロック部が係合される凹部が設けられ、前記凹部は前記回動支持の回動軸上に配置されることを特徴とする。
【発明の効果】
【０００８】
以上説明したように、
本出願に係わる第１の発明によれば、
被写体を撮像し前記被写体像を画像データに変換する撮像部が収納された第１の筐体と、前記撮像部を介して取得した画像や記憶媒体から読み出された再生画像を表示する表示パネルを有し且つ第１の筐体に対して開閉自在及び回動自在に支持された第２の筐体と、前記第２の筐体を前記第１の筐体に着脱自在にロックするロック部とを備えた撮像装置において、ロック部が第２の筐体側面の凹部に形成された斜面に当接する。前記当接により前記凹部にはロック部の移動方向の付勢力が発生すると同時に、表示パネルの表示面内方向で前記付勢力に垂直方向の対向する付勢力が発生し、第二の筐体の表示部面内方向の移動を規制する。その結果、表示パネルの拡大に伴い発生したカメラ本体の凹部と表示部の隙間の不均一を均一に保つことが可能で、部品点数を増やすことなく外観品位を向上することができる。
【０００９】
また、第２の発明によれば、
前記第二の筐体の側面には前記ロック部が挿入される凹部が設けられ、前記凹部は前記回動支持の回動軸上に配置されることにより、
ロック部が第二の筐体の表示部面内方向の移動を規制する付勢力が均一になり、隙間をより均一に保つことができる。
【発明を実施するための最良の形態】
【００１０】
次に、本発明の詳細を実施例の記述に従って説明する。
【実施例１】
【００１１】
図１は本実施例１のデジタルカメラ背面からの斜視図である。
【００１２】
図示していないが、カメラ本体１には被写体をデジタルカメラ内部に取り込むための撮影レンズ及び鏡筒ユニットやストロボを備える。撮像レンズを通過した被写体像はＣＣＤの受光面上に結像し、結像した被写体の光量に応じた、電荷が蓄積される。撮像信号処理部ではＣＣＤから出力されたアナログ信号をＲ，Ｇ，Ｂ成分に分解し、ホワイトバランス調整やガンマ補正を行い、必要なタイミングでＲ，Ｇ，Ｂを順次Ａ／Ｄ変換し、得られたデジタル画像データを制御部に出力する。また、ストロボは被写体の光量が不足したときに補助光として発光する。
【００１３】
デジタルカメラ上面にはレリーズボタン２とパワーボタン３を備え、レリーズボタン２は半押しと全押しの二段階押し込み構造になっている。半押しで、ＡＦおよびＡＥをロックし、全押しで撮影画像の取り込みが行われる。また、パワーボタン３はデジタルカメラの電源ＯＮ／ＯＦＦを決める。
【００１４】
カメラ本体１の背面には液晶パネル４を含む表示部５が収納される凹部６や押しボタン７を備える。押しボタンはユーザからの押圧を検出し、どの押しボタンが押されているかをデジタルカメラの制御部に出力する。
【００１５】
液晶パネル４は再生モードでは撮影した画像を表示し、撮影モードではビューファインダーとして被写体を表示する。表示部５を回動自在に支持するためのヒンジ８と、表示部を開閉自在に支持するためのヒンジ９によって、表示部はカメラ本体に支持されておりａ及びｂの方向に回動が可能である。
【００１６】
図２は液晶パネル４の表示面を外側に向けて、表示部５をカメラ本体１に収納した状態の斜視図であり、再生モードや撮影モードで液晶パネル４を使用するときの状態である。図３は液晶パネル４の表示面を内側に向けて、表示部５をカメラ本体１に収納した状態の斜視図であり、カメラを持ち運ぶときに液晶パネル４の表示面が傷つくことを防ぐことができる。また、撮影モード時に液晶パネル４の表示を消し、図示していない光学ファインダーを用いることで消費電力を抑えることができる。また、液晶パネル４が顔の皮脂等で汚れることを防ぐこともできる。
【００１７】
図２及び図３いずれの場合においても、回動ａをロックするカメラ本体に設けられたロック爪１０と、表示部側面に設けられた凹部１１が係合することにより表示部５がカメラ本体１に収納された状態でロックされる。ロック爪１０はバネ１２によりｃの方向にバネ圧を加えられており、このバネ圧で表示部５をロックしている。ロックを解除するときは表示部５を手でａの回転方向に引き出すような構成となっている。
【００１８】
図４は表示部５がカメラ本体１に収納された状態でのロック爪１０をカメラ背面から見た透視概略図である。表示部側面に設けられた凹部には斜面１３と斜面１４が形成されている。バネ圧により発生する付勢力ｃによりロック爪１０が凹部の斜面１３や斜面１４と当接すると、それぞれｄ方向又はｅ方向の付勢力が発生する。ロック爪１０が斜面１３と斜面１４の両方に当接する場合は、付勢力ｄと付勢力ｅの両方が発生する。付勢力ｄと付勢力ｅに差がある場合でも付勢力ｃが強いために、その状態を維持する。
【００１９】
ロック爪１０が斜面１３及び斜面１４のどちらか一方に当接した場合は、付勢力ｄ又は付勢力ｅにより、もう一方の斜面がロック爪１０に当接まで表示部５がヒンジ８やヒンジ９を中心として回転する。そして、付勢力ｄと付勢力ｅが均衡し、表示部５の回転が止まる。この結果、表示部５がカメラ本体１に収納された状態で、部材の寸法や組み立てのばらつきによりヒンジ部を中心とした表示部のガタが発生した場合においても、ロック爪１０が両方の斜面に当接するように表示部５の位置が規制される。よって、図５に示すように従来は発生していたカメラ本体１と表示部５の隙間１５の不均一も、本発明においては図２に示すように均一に保つことができる。そして、本実施例のように複数のヒンジが設けられ且つ表示部５が大きいカメラにおいても、部品点数を増やすことなく、外観品位の高いデジタルカメラを提供することができる。
【００２０】
また、表示部５のガタはヒンジ部を中心とした回転方向であり、表示部側面の凹部１１をヒンジ８の回動軸８−１の軸上に配置することで、付勢力ｄと付勢力ｅの均衡がとれやすく前記隙間１５をより均一に保てる。
【００２１】
図６は表示部側面の凹部とロック爪１０の形状を変更した概略図である。ロック爪１０の先端は斜面と斜面で構成された凹形状１６を備え、表示部の凹部には前記凹形状の斜面に平行な斜面で構成される凸形状１７を備える。バネ圧により発生するｃの付勢力によりロック爪斜面が表示部の斜面と当接し、ヒンジを中心とした回転方向の表示部のガタを矯正する。
【００２２】
なお、本実施形態においては、撮像装置がデジタルカメラである場合について説明しているが、本発明はこれに限定されることなく、例えばデジタルビデオカメラである場合にも適用することができる。
【図面の簡単な説明】
【００２３】
【図１】本発明の実施例に係わるデジタルカメラの表示部を開いた状態の斜視図
【図２】デジタルカメラの表示部を外側にして収納した状態の背面図
【図３】デジタルカメラの表示部を内側にして収納した状態の背面図
【図４】表示部の凹部とロック爪の透視概略図
【図５】カメラ本体と表示部の隙間が不均一な状態の背面図
【図６】表示部の凹部とロック爪の形状を変更した概略図
【図７】従来例を説明する図
【符号の説明】
【００２４】
１  カメラ本体
２  レリーズボタン
３  パワーボタン
４  液晶パネル
５  表示部
６  表示部が収納される凹部
７  押しボタン
８  表示部を回動自在に支持するためのヒンジ
８−１  ヒンジ８の回動軸
９  表示部を開閉自在に支持するためのヒンジ
１０  ロック爪
１１  表示部側面に設けられた凹部
１２  バネ
１３  凹部の斜面
１４  凹部の斜面
１５  カメラ本体と表示部の隙間
１６  ロック爪先端の凹形状
１７  表示部側面の凸形状
【図１】
2009290692.tif 000003
【図２】
2009290692.tif 000004
【図３】
2009290692.tif 000005
【図４】
2009290692.tif 000006
【図５】
2009290692.tif 000007
【図６】
2009290692.tif 000008
【図７】
2009290692.tif 000009